(57)【要約】【課題】片手によるワン動作でもって左右の取手の握り部を買物かご本体上方で当接させ、直ちに持ち上げることが可能な買物かごの取手構造を提供する。【解決手段】取手はコ状に形成し、横長箱の対向する長手両側面の上部外側に固定した一対の支持軸周りに横長箱の長手方向に沿って回動自在に取り付ける。水平方向に回動した場合は取手握り部が横長箱の短手側面の上縁に当接して静止し、垂直方向に同時に回動した場合は上方にて握り部が当接し合うようにする。連動回動機構をプーリーと紐とで構成し、プーリーは支持軸周りに各取手と一体に回動するよう取り付け、長手側面の同じ側にある二つのプーリー間には二つのプーリーが互いに反対方向に連動して回動動作するよう紐をたすき掛けに掛け渡す。【選択図】図３
0003181351.tif 000002
【実用新案登録請求の範囲】
【請求項１】
上面が開口した横長箱状の買物かごを持ち上げるための買物かごの取手構造であって、
一対の取手と該一対の取手に連動した回動動作をさせる連動回動機構とから構成され、
前記一対の各取手はコ状に形成され、両端は横長箱の対向する長手両側面の上部外側に固定して設けた各一対の支持軸周りに横長箱の長手方向に沿って回動し、水平方向に回動した場合は各取手の握り部が横長箱の短手側面の上縁に当接して静止し、垂直方向に同時に回動した場合は横長箱の上方にて相手の取手の握り部と当接し合うように構成されており、
前記連動回動機構は４個のプーリーと２式の紐とで構成され、各プーリーは前記各取手の両端部に取手と一体になって前記支持軸周りに回動するように取り付けられ、横長箱の長手側面の同じ側に取り付けられた一方の取手のプーリーと他方の取手のプーリーとの間にはそれら二つのプーリーが互いに反対方向に連動して回動動作するように前記紐がたすき掛けに掛け渡してあることを特徴とする買物かごの取手構造。
【請求項２】
請求項１に記載の買物かごの取手構造において、前記連動回動機構は横長箱の片側側面にのみ構成されていることを特徴とする買物かごの取手構造。
【考案の詳細な説明】
【技術分野】
【０００１】
本発明はスーパーマーケットやデパートの食品売場、ディスカウントショップの商品売場等に準備され、買物客が購入商品をレジカウンターに運ぶ際に使用する買物かごの取手構造に関する。
【背景技術】
【０００２】
スーパーマーケットやデパートの食品売場、ディスカウントショップの商品売場等には買物客が購入する商品を収納してレジカウンターに運ぶための買物かごが準備されている。図４、図５は従来の買物かご４０の形状の一例である。買物かご本体４１は上面が開口した横長の箱状に形成され、上面開口は底面より広く、各側面は上方側が外側に僅かに傾斜させてある。上面開口の周縁には狭い幅の水平鍔状部４３が形成されている。
【０００３】
この水平鍔状部４３には買物かご４０を持ち上げるための一対のコ状取手４２が取り付けてある。各コ状取手４２は、両端部を水平鍔状部４３上に設けた取付部４４を支点として買物かご本体４１の長手方向に回動可能に取り付けてある。図４は２個の取手４２を水平鍔状部４３上に寝かせて置いた状態、図５は買物かご４０を持ち上げるときの取手４２の状態である。持ち上げるときは左右の取手４２をそれぞれ上方に回動させ、買物かご本体４１上方で２個の取手４２の握り部を互いに当接させ、当接させた２個の取手４２を片手で握って持ち上げる。
【０００４】
このようにして持ち上げるには、水平に寝かせてある左右の取手４２を共に上方に回動させ、握り部を互いに当接させた状態にする必要がある。しかし、この動作は簡単ではない。左右の取手４２は互いに反対方向に寝かされているため、両手を使用して左右の取手４２を回動させる必要がある。一方の手が塞がっている場合は不可能である。片手で行なうには、最初に一方の取手４２を回動させて何らかの手段で当接位置に静止させておき、次に他方の取手４２を回動させて静止している取手４２に当接させる動作が必要になる。しかし、このように２段階操作で持ち上げるのは面倒である。また、一方の取手４２を回動させた位置で静止させておくのも簡単ではない。
【先行技術文献】
【特許文献】
【０００５】
【特許文献１】特開２００５−１９２６６７号公報
【考案の開示】
【考案が解決しようとする課題】
【０００６】
本考案は従来技術のこうした問題点を解決するためになされたもので、その課題は、片手によるワン動作でもって左右の取手の握り部を買物かご本体上方で当接させ、当接させた左右の握り部を直ちに片手で握って持ち上げることが可能な買物かごの取手構造を提供することにある。
【課題を解決するための手段】
【０００７】
前記課題を解決するための請求項１に記載の考案は、上面が開口した横長箱状の買物かごを持ち上げるための買物かごの取手構造であって、一対の取手と該一対の取手に連動した回動動作をさせる連動回動機構とから構成され、一対の各取手はコ状に形成され、両端は横長箱の対向する長手両側面の上部外側に固定して設けた各一対の支持軸周りに横長箱の長手方向に沿って回動し、水平方向に回動した場合は各取手の握り部が横長箱の短手側面の上縁に当接して静止し、垂直方向に同時に回動した場合は横長箱の上方にて相手の取手の握り部と当接し合うように構成されており、連動回動機構は４個のプーリーと２式の紐とで構成され、各プーリーは各取手の両端部に取手と一体になって支持軸周りに回動するように取り付けられ、横長箱の長手側面の同じ側に取り付けられた一方の取手のプーリーと他方の取手のプーリーとの間にはそれら二つのプーリーが互いに反対方向に連動して回動動作するように紐がたすき掛けに掛け渡してあることを特徴とする買物かごの取手構造である。
【０００８】
このような構成によれば、片側の取手を持ち上げると反対側の取手も連動して持ち上がり、片側の取手を水平姿勢にすると反対側の取手も連動して水平姿勢になる。従って片手で一方の取手を操作するのみで２個の取手を同時操作できる。これにより片手が塞がっている場合でも買物かごを容易に持ち上げたり、降ろしたりすることができる利点を有する。
【０００９】
また、請求項２に記載の考案は、請求項１に記載の買物かごの取手構造において、連動回動機構は横長箱の片側側面にのみ構成されていることを特徴とする買物かごの取手構造である。
【００１０】
このような構成の場合も左右の取手は連動して回動するため片手で操作することができる。
【図面の簡単な説明】
【００１１】
【図１】本考案に係る取手構造を採用した買物かごの取手を水平にした状態の外観図である。
【図２】取手を持ち上げ位置にした状態の外観図である。
【図３】連動回動機構の説明図である。
【図４】取手を水平に寝かせた状態の従来の買物かごの外観図である。
【図５】取手を持ち上げ位置にした状態の従来の買物かごの外観図である。
【考案を実施するための形態】
【００１２】
以下、本考案を実施するための一形態について図面を参照して説明する。図１は本発明に係る買物かごの取手構造を採用した買物かご１の斜視図である。図は一対の取手２を水平にした状態の外観図、図２は一対の取手２を各々垂直方向に回動させて握り部３を互いに当接させ、買物かご１を片手で持ち上げられる状態にした斜視図、図３は一対の取手２に連動した回動動作をさせるための連動回動機構４の説明図である。
【００１３】
買物かご１は、買物かご本体５、一対の取手２、連動回動機構４を備えて構成される。買物かご本体５は、上面が開口された横長の箱状に形成される。上面の開口は底面より広く、各側面は上方に向かって外側に僅かに傾斜させてある。上面開口の周縁には、狭い幅の鍔状部７が形成してある。
【００１４】
買物かご５を持ち上げるための取手２は、図２に示すように略コ状に形成してある。横長箱状の買物かご本体５の対向する各長手側面には、取手２を回動させるための支持軸９が２個ずつ設けてある。各２個の支持軸９は、長手側面の上縁より少し下に、水平方向に間隔を開け、側面外方に突出して設けてある。対向する長手側面の各２個の支持軸９の位置は、短手方向幅中心を通る垂直面に対して対称になっている。
【００１５】
各取手２は、両端を支持軸９に支えられて買物かご５の長手方向に沿って回動する。水平方向に回動させた場合には、図１に示すように握り部３が短手側面の上縁に当接して静止する。反対に、垂直方向に同時に回動させた場合は、図２に示すように買物かご本体５の上方にて互いの握り部３が当接し合って静止する。
【００１６】
この一対の取手２は、各支持軸９周りに、相手とは反対方向に連動して回動するように構成されている。図４は、そのような連動動作をさせるための連動回動機構４の説明図である。４個の支持軸９には、プーリー１０が取り付けてある。各プーリー１０は、取手２の端部と横長箱の長手側面との間に取り付けられ、取手２に固定されて取手２と一体となって回動する。取手２とプーリー１０とは一体に形成してもよい。プーリー１０の周面には溝が形成されており、各長手側面の２個のプーリー１０の間には、紐１１がたすき掛けに掛け渡してある。紐１１はスリップを起こさないように、各プーリー１０に１乃至数回巻き付けた状態でたすき掛けしてある。スリップを確実に防ぐには、紐１１の一端を一方のプーリー１０に固定して１回巻き付けた後、他方のプーリー１０との間にたすき掛けを行ない、紐１１の他端側をその他方のプーリー１０に１回巻き付けてからそのプーリー１０に他端を固定するとよい。
【００１７】
このような構成の下で図３に示すように、右側の取手２を手で水平位置から垂直方向に回動させたとする。右側取手２の左回転につれて右側取手２に固定されているプーリー１０も左回転する。右側プーリー１０が左回転すると、紐１１がたすき掛けされている左側プーリー１０は右回転する。左側プーリー１０が右回転すると、それに固定されている左側取手２は水平位置から垂直方向に回動する。右側取手２の回動を継続すると、やがて左右の取手２の握り部３が買物かご本体５の上方で当接しあって静止する。反対に、右側取手２を垂直状態から水平方向に回動させた場合は、左側取手２も連動して水平方向に回動し、共に握り部３が短手側面の上縁に当接した水平状態で静止する。左側取手２を回動させた場合は、右側取手２がそれに連動して回動する。
【００１８】
以上説明したように、本実施形態の取手構造を採用した買物かごは、片側の取手を持ち上げると反対側の取手も連動して持ち上がり、片側の取手を水平にすると反対側の取手も連動して水平位置になる。このように両方の取手を片手で同時操作できるため、片手が塞がっている状態でも買物かごを持ち上げたり、降ろしたりすることが容易にできる利点を有する。
【００１９】
（変形実施形態）上記実施形態では連動回動機構４を横長箱の長手両側面に設けたが、片側だけに設けるようにしてもよい。そのようにしても左右の取手は連動して回動するため片手で操作することができる。
【符号の説明】
【００２０】
図面中、１は買物かご、２は取手、３は握り部、４は連動回動機構、５は買物かご本体、７は鍔状部、９は支持軸、１０はプーリー、１１は紐を示す。
【図１】
0003181351.tif 000003
【図２】
0003181351.tif 000004
【図３】
0003181351.tif 000005
【図４】
0003181351.tif 000006
【図５】
0003181351.tif 000007